(57)【要約】【課題】  発光の用途に合わせた最適な発光制御を行うことができるようにすることを目的とする。【解決手段】  放電管と、前記放電管を発光させるためのエネルギーを充電するメインコンデンサと、前記放電管の発光を停止させる発光停止手段と、前記メインコンデンサとは異なるコンデンサを有し、前記発光停止手段による前記放電管の発光停止動作に伴って前記コンデンサの充電を行う回路と、前記放電管の両端を短絡させる短絡手段と、前記発光停止手段による前記放電管の発光停止動作に伴って前記短絡手段により前記放電管の両端を短絡させるか否かを設定する設定手段とを有する。【選択図】  図１
2014021154.tif 000002
【特許請求の範囲】
【請求項１】
放電管と、
前記放電管を発光させるためのエネルギーを充電するメインコンデンサと、
前記放電管の発光を停止させる発光停止手段と、
前記メインコンデンサとは異なるコンデンサを有し、前記発光停止手段による前記放電管の発光停止動作に伴って前記コンデンサの充電を行う回路と、
前記放電管の両端を短絡させる短絡手段と、
前記発光停止手段による前記放電管の発光停止動作に伴って前記短絡手段により前記放電管の両端を短絡させるか否かを設定する設定手段と、を有することを特徴とする発光装置。
【請求項２】
前記設定手段は、前記放電管による発光の用途に応じて、前記発光停止手段による前記放電管の発光停止動作に伴って前記短絡手段により前記放電管の両端を短絡させるか否かを設定することを特徴とする請求項１に記載の発光装置。
【請求項３】
前記設定手段は、前記放電管の閃光発光を繰り返し行うことにより外部機器と通信を行う場合、前記発光停止手段による前記放電管の発光停止動作に伴って前記短絡手段により前記放電管の両端を短絡させるように設定することを特徴とする請求項１または２に記載の発光装置。
【請求項４】
前記設定手段は、前記放電管をプリ発光させる場合、前記発光停止手段による前記放電管の発光停止動作に伴って前記短絡手段により前記放電管の両端を短絡させるように設定することを特徴とする請求項１ないし３のいずれか１項に記載の発光装置。
【請求項５】
前記設定手段は、前記放電管の閃光発光を連続して行い発光強度を継続して略一定にする場合、前記発光停止手段による前記放電管の発光停止動作に伴って前記短絡手段により前記放電管の両端を短絡させないように設定することを特徴とする請求項１ないし４のいずれか１項に記載の発光装置。
【請求項６】
前記設定手段は、前記放電管による発光の発光量に応じて、前記発光停止手段による前記放電管の発光停止動作に伴って前記短絡手段により前記放電管の両端を短絡させるか否かを設定することを特徴とする請求項１ないし５のいずれか１項に記載の発光装置。
【請求項７】
前記設定手段は、前記放電管による発光の発光量が予め決められた閾値以下の場合、前記発光停止手段による前記放電管の発光停止動作に伴って前記短絡手段により前記放電管の両端を短絡させるように設定することを特徴とする請求項１ないし６のいずれか１項に記載の発光装置。
【請求項８】
前記回路は、前記発光停止手段による発光停止動作に伴い当該発光停止手段に生じるサージ電圧を抑えるスナバ回路であることを特徴とする請求項１ないし７のいずれか１項に記載の発光装置。
【請求項９】
被写体を撮像する撮像手段と、
放電管と、
前記放電管を発光させるためのエネルギーを充電するメインコンデンサと、
前記放電管の発光を停止させる発光停止手段と、
前記メインコンデンサとは異なるコンデンサを有し、前記発光停止手段による前記放電管の発光停止動作に伴って前記コンデンサの充電を行う回路と、
前記放電管の両端を短絡させる短絡手段と、
前記発光停止手段による前記放電管の発光停止動作に伴って前記短絡手段により前記放電管の両端を短絡させるか否かを設定する設定手段と、を有することを特徴とする撮像装置。
【発明の詳細な説明】
【技術分野】
【０００１】
本発明は、放電管を有する発光装置及び撮像装置に関するものである。
【背景技術】
【０００２】
従来、ストロボ装置などの発光装置において、自身の発光量を測定して測定した発光量が所望の発光量に達すると発光を停止させるものが知られている。しかしながら、このような発光装置では、例えば、発光停止時にクイックチャージ回路、スナバ回路のコンデンサを逆充電したときキセノン管を経由して電流が流れることで、発光停止後の余分な発光（以下、残光とする）が生じてしまう。
【０００３】
そのため、実際の発光量は所望の発光量よりも残光の分だけ大きくなり、特に、所望する発光量が小さい時（以下、微小発光時とする）には、所望する発光量に対する残光の影響が大きくなる。そこで、特許文献１では、キセノン管の両端にバイバスＳＣＲスイッチを設けて転流コンデンサによる発光停止に伴いバイパスＳＣＲをオンする件が開示されている。
【先行技術文献】
【特許文献】
【０００４】
【特許文献１】特開昭６１−２９０６９７号公報
【発明の概要】
【発明が解決しようとする課題】
【０００５】
しかしながら、特許文献１に開示された技術では、発光停止時には常にキセノン管をバイパスする回路構成となっているため、バイパスが必要ない時も常に動作してしまい、発光の用途に合わせた最適な発光制御を行うことができない。
【０００６】
例えば、単発の微小発光時は発光量の精度を向上させるため、光パルス信号送信時は発光立下がりのキレをよくするために、バイパス動作させることは有効である。それに対して、例えば、閃光発光を連続して行い発光強度を継続して略一定にした発光（以下、フラット発光とする）とするときには、非発光期間における発光強度の低下を抑えるために残光が有効でありバイパス動作をさせたくない。
【０００７】
そこで、本発明は、発光の用途に合わせた最適な発光制御を行うことができるようにすることを目的とする。
【課題を解決するための手段】
【０００８】
上記目的を達成するために、本発明に係る発光装置は、放電管と、前記放電管を発光させるためのエネルギーを充電するメインコンデンサと、前記放電管の発光を停止させる発光停止手段と、前記メインコンデンサとは異なるコンデンサを有し、前記発光停止手段による前記放電管の発光停止動作に伴って前記コンデンサの充電を行う回路と、前記放電管の両端を短絡させる短絡手段と、前記発光停止手段による前記放電管の発光停止動作に伴って前記短絡手段により前記放電管の両端を短絡させるか否かを設定する設定手段と、を有することを特徴とする。
【０００９】
また、上記目的を達成するために、本発明に係る撮像装置は、被写体を撮像する撮像手段と、放電管と、前記放電管を発光させるためのエネルギーを充電するメインコンデンサと、前記放電管の発光を停止させる発光停止手段と、前記メインコンデンサとは異なるコンデンサを有し、前記発光停止手段による前記放電管の発光停止動作に伴って前記コンデンサの充電を行う回路と、前記放電管の両端を短絡させる短絡手段と、前記発光停止手段による前記放電管の発光停止動作に伴って前記短絡手段により前記放電管の両端を短絡させるか否かを設定する設定手段と、を有することを特徴とする。
【発明の効果】
【００１０】
本発明によれば、発光の用途に合わせた最適な発光制御を行うことができる。
【図面の簡単な説明】
【００１１】
【図１】本願発明に係るカメラシステムのブロック図。
【図２】本願発明に係るストロボ装置の発光回路ブロック３０００の詳細を示す図。
【図３】第１の実施形態における放電管３０７の両端を短絡させる場合の発光動作のタイミングを示す図。
【図４】第１の実施形態に係るカメラマイコンの動作を示す図。
【図５】第１の実施形態に係るカメラマイコンの動作を示す図。
【図６】第１の実施形態に係るストロボマイコンの動作を示す図。
【図７】第１の実施形態における発光動作を示す図。
【図８】第２の実施形態に係るストロボマイコンの動作を示す図。
【図９】第２の実施形態におけるワイヤレス発光動作のタイミングを示す図。
【図１０】第３の実施形態に係るストロボマイコンの動作を示す図。
【図１１】第３の実施形態におけるフラット発光動作のタイミングを示す図。
【図１２】発光回路ブロック３０００の変形例１を示す図。
【図１３】発光回路ブロック３０００の変形例２を示す図。
【図１４】発光回路ブロック３０００の変形例２を用いた場合の発光動作のタイミングを示す図。
【図１５】従来のストロボ装置の発光回路ブロック３０００の詳細を示す図。
【発明を実施するための形態】
【００１２】
以下に、本発明の好ましい実施の形態を、添付の図面に基づいて詳細に説明する。
【００１３】
（第１の実施形態）
図１は、本発明の第１の実施形態に係わるカメラシステムの構成を示すブロック図である。本実施形態では、撮像装置であるカメラ本体１００、レンズユニット２００、発光装置であるストロボ装置３００を含むカメラシステムの例を説明する。
【００１４】
まず、カメラ本体１００内の構成について説明する。
【００１５】
マイクロコンピュータ１０１（以下、カメラマイコンとする）は、カメラ本体１００の各部を制御する。カメラマイコン１０１は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄ、Ｄ／Ａコンバータ等を含むマイコン内蔵ワンチップＩＣ回路構成となっている。
【００１６】
カメラマイコン１０１は、内蔵もしくは外付け発振回路で生成されたクロックにより駆動されるとともに、このクロックをカウントすることによって正確な時間管理を行う。これにより、カメラ全体の動作シーケンスにおけるタイミング、及び、外部のストロボ装置３００やレンズユニット２００等の通信シーケンスにおけるタイミングを制御する。
【００１７】
撮像素子１０２は、赤外カットフィルタやローパスフィルタ等を含むＣＣＤ、ＣＭＯＳ等の撮像素子であり、後述のレンズ２０２によって被写体が結像される。Ａ／Ｄ変換器１０３は、撮像素子１０２からの信号をＡ／Ｄ変換し、タイミングジェネレータ（ＴＧ）１０４は、撮像素子１０２とＡ／Ｄ変換器１０３の駆動タイミングを発生する。信号処理回路１０５は、Ａ／Ｄ変換器１０３でデジタル信号に変換された画像データに対して画像処理を行う。
【００１８】
入力手段１０６は、ユーザがカメラシステムの各種設定を入力する操作を行うためもので、例えば、カメラ本体１００の上面や背面などに設けられたスイッチ、ボタン、ダイヤル、タッチセンサなどを含む。表示手段１０７は、カメラ本体１００の各状態や撮影画像などを表示する。
【００１９】
測光回路１０８は、カメラマイコン１０１の指示により被写体の測光を行い測光データを出力する。例えば、測光回路１０８内の測光センサーは、撮影領域を複数の領域に分割しそれぞれの領域で測光を行う。焦点検出回路１０９は、カメラマイコン１０１の指示により被写体の焦点検出を行い焦点評価値を出力する。例えば、焦点検出回路１０９内の焦点検出センサーは、撮影領域内に複数点の焦点検出ポイントを有し、それぞれの焦点検出ポイントにおける焦点評価値を出力する。
【００２０】
インタフェース１３０は、ストロボ装置３００とのインタフェースであり、発光開始信号を送信するＸ端子、ＧＮＤ端子、後述のストロボマイコン３１０との通信クロック信号を送信するＳＣＬＫ＿Ｓ端子を有する。
【００２１】
さらに、ＳＣＬＫ＿Ｓ端子を介して送信される通信クロック信号に同期してカメラマイコン１０１からストロボマイコン３１０にデータを送信するＭＯＳＩ＿Ｓ端子、ストロボマイコン３１０からカメラマイコン１０１にデータを送信するＭＩＳＯ＿Ｓ端子を有する。このような各種端子によりカメラマイコン１０１とストロボマイコン３１０との間の通信を可能にしている。
【００２２】
インタフェース１２０はレンズユニット２００とのインタフェースであり、ＧＮＤ端子、後述のレンズマイコン２０１との通信クロック信号を送信するＳＣＬＫ＿Ｌ端子を有する。
【００２３】
さらに、ＳＣＬＫ＿Ｌ端子を介して送信される通信クロック信号に同期してカメラマイコン１０１からレンズマイコン２０１にデータを送信するＭＯＳＩ＿Ｌ端子、レンズマイコン２０１からカメラマイコン１０１にデータを送信するＭＩＳＯ＿Ｌ端子を有する。このような各種端子によりカメラマイコン１０１とレンズマイコン２０１との間の通信を可能にしている。
【００２４】
次に、レンズユニット２００内の構成と動作について説明する。
【００２５】
レンズマイコン２０１は、レンズユニット２００の各部の動作を制御し、レンズ２０２は複数枚のレンズで構成され、撮像素子１０２に被写体を結像させる。
【００２６】
レンズ駆動手段２０３は、レンズ２０２内の各レンズを駆動させる。エンコーダ２０４はレンズ２０２の各レンズの位置を検出する。絞り２０５は、撮像素子１０２に入射する光量を調節するものであって、絞り制御回路２０６により制御される。
【００２７】
次に、ストロボ装置３００の構成について説明する。
【００２８】
ストロボマイコン３１０は、ストロボ装置３００の各部の動作を制御する。ストロボマイコン３１０は、例えば、ＣＰＵ、ＲＯＭ、ＲＡＭ、入出力制御回路（Ｉ／Ｏコントロール回路）、マルチプレクサ、タイマ回路、ＥＥＰＲＯＭ、Ａ／Ｄ、Ｄ／Ａコンバータ等を含むマイコン内蔵ワンチップＩＣ回路構成となっている。
【００２９】
ストロボマイコン３１０は、内蔵もしくは外付け発振回路で生成されたクロックにより駆動されるとともに、このクロックをカウントすることによって正確な時間管理を行う。これによりストロボ装置全体の動作シーケンスにおけるタイミング、及び、外部のカメラ本体１００等の通信シーケンスにおけるタイミングを制御する。
【００３０】
電池３０１は電源であり、昇圧手段３０２は電池３０１の電圧を数百Ｖに昇圧する。メインコンデンサ３０３は放電管３０７を発光させるためのエネルギーを充電するものであって、昇圧手段３０２の出力を充電する。抵抗３０４、３０５は、メインコンデンサ３０３に充電された電圧を分圧する抵抗であり、その分圧点はストロボマイコン３１０のＡ／Ｄ変換端子であるＭＣＶ＿ＡＤに接続される。
【００３１】
放電管３０７は閃光を発光する発光部であり、メインコンデンサ３０３に充電されたエネルギーを光に変換し、その光を被写体に照射する。トリガー回路３０６は、放電管３０７の発光開始時に放電管３０７に数ＫＶの電圧（トリガー信号）を印加する。
【００３２】
発光制御手段３０８は、放電管３０７の発光の開始及び停止を制御する。発光時は、メインコンデンサ３０３の高圧側、放電管３０７、発光制御手段３０８、メインコンデンサ３０３の低圧側（ＧＮＤ）の放電ループが形成される。
【００３３】
フォトダイオード３３０は、放電管３０７の発光を直接あるいはグラスファイバー等の導光部材を介して受光するセンサーである。積分回路３０９は、フォトダイオード３３０の受光量に応じた電流を積分する積分回路であり、その出力はコンパレータ３１２の反転入力端子とストロボマイコン３１０のＡ／Ｄコンバータ端子であるＩＮＴ＿ＡＤ端子に入力される。
【００３４】
コンパレータ３１２の非反転入力はストロボマイコン３１０内のＤ／Ａコンバータ端子であるＩＮＴ＿ＤＡＣ端子に接続され、コンパレータ３１２の出力はＡＮＤゲート３１１に接続される。ＡＮＤゲート３１１のもう一方の入力はストロボマイコン３１０のＦＬ＿ＳＴＡＲＴ端子と接続され、ＡＮＤゲート３１１の出力は発光制御手段３０８に入力される。
【００３５】
ダイオード３１３は、カソードがメインコンデンサ３０３の陽極に接続され、アノードが後述の制限コイル３１４の一端に接続される。
【００３６】
制限コイル３１４は、放電管３０７の突入電流を減少させるコイルであり、一端がダイオード３１３のアノードと放電管３０７とに接続され、他端がダイオード３１３のカソードに接続される。
【００３７】
スイッチ素子としてのサイリスタ３１５は、放電管３０７の両端に接続され、放電管３０７の両端をバイパスし短絡させることを可能にする。
【００３８】
抵抗３１６は、サイリスタ３１５のゲート・アノード間に接続され、抵抗３１７は、一端がサイリスタ３１５のゲートに接続され、他端がストロボマイコン３１０内の短絡指示端子ＳＨに接続される。
【００３９】
ダイオード３１８は、アノードが放電管３０７の陰極に接続され、カソードがダイオード３１９のアノードと発光制御手段３０８とに接続される。
【００４０】
還流ダイオード３１９は、発光停止時の余剰電流の一部をメインコンデンサ３０３に還流するダイオードであり、カソードがメインコンデンサの正極側に接続され、アノードがダイオード３１８のカソードに接続される。
【００４１】
入力手段３２０は、ユーザがストロボ装置３００の各種設定を入力する操作を行うためのものであって、例えば、発光モード（閃光発光、フラット発光、マルチ発光、ワイヤレス発光）や発光量等を入力することが可能である。表示手段３２１は、ストロボ装置３００の各状態を表示する。
【００４２】
発光回路ブロック３０００は、特にストロボ装置３００の発光に関わる部分を示している。図２は、発光回路ブロック３０００の詳細を示す図であって、図１と共通の素子は同じ符号となっている。
【００４３】
ゲート抵抗３００１は、一端が後述のＩＧＢＴ３００３のゲートに接続され、他端が図１のストロボマイコン３１０のＴＲＩＧ端子に接続される。
【００４４】
ゲート抵抗３００２は、後述のＩＧＢＴ３００３のゲートとエミッタ間に接続される。
【００４５】
ＩＧＢＴ３００３は、発光トリガーをかける発光用ＩＧＢＴであって、ゲートが抵抗３００１、３００２に接続され、エミッタが抵抗３００２の一端とメインコンデンサ３０３の陰極に接続され、コレクタが後述のトリガーコンデンサ３００４の一端に接続される。
【００４６】
トリガーコンデンサ３００４は、一端がＩＧＢＴ３００３に接続され、他端が後述のトリガートランス３００５の一次側に接続される。
【００４７】
トリガートランス３００５は、一次側がトリガーコンデンサ３００４の他端に接続され、二次側が放電管３０７のネサコート（もしくはトリガーバンド）に接続される。巻き線の共通端子はメインコンデンサ３０３の陰極に接続される。
【００４８】
トリガーコンデンサ３００４がＩＧＢＴ３００３のオンにより放電することで、トリガートランス３００５の一次側に放電電流が流れ、二次側は巻き線比に応じて高電圧のパルスが生じる。生じた高電圧のパルスを放電管３０７のネサコートに印加することで放電管３０７の内部をプレイオン化させる。トリガーコンデンサ３００４は、発光前にメインコンデンサ３０３から制限コイル３１４、抵抗３００６、ダイオード３００７を介して充電される。
【００４９】
以下に説明する抵抗３００６から抵抗３０２１は、３倍圧トリガー回路を構成している。
【００５０】
抵抗３００６は、制限コイル３１４の一端に接続される。ダイオード３００７は、アノードが抵抗３００６と後述の倍圧コンデンサ３０１１の一端とに接続され、カソードがＩＧＢＴ３００３のコレクタと後述の倍圧コンデンサ３００８の一端とに接続される。
【００５１】
倍圧コンデンサ３００８は、放電管３０７の発光の直前に放電管３０７の両端にメインコンデンサ３０３の電圧以上の電圧を印加するためのコンデンサである。倍圧コンデンサ３００８は、一端がダイオード３００７のカソードに接続され、他端が後述のダイオード３０１７のカソードとダイオード３００９のアノードと抵抗３０２０の一端とに接続される。倍圧コンデンサ３００８は、発光前にメインコンデンサ３０３から制限コイル３１４、抵抗３００６、ダイオード３００７を介して充電される。
【００５２】
ダイオード３００９は、カソードがメインコンデンサ３０３の陰極とＩＧＢＴ３００３のエミッタとに接続され、アノードが後述のトランジスタ３０１９のエミッタと倍圧コンデンサ３００８の他端とに接続される。
【００５３】
ダイオード３０１０は、カソードが後述の倍圧コンデンサ３０１１の一端と抵抗３０１８の一端とダイオード３００７のアノードとに接続され、アノードが、後述の抵抗３０１３、３０１４のそれぞれの一端に接続される。
【００５４】
倍圧コンデンサ３０１１は、倍圧コンデンサで３００８と同様に放電管３０７の発光の直前に放電管３０７の両端にメインコンデンサの電圧以上の電圧を印加するためのコンデンサである。倍圧コンデンサ３０１１は、一端がダイオード３０１０のカソードに接続され、他端が後述のトランジスタ３０１２のエミッタとダイオード３０１７のアノードと抵抗３０１５の他端とに接続される。倍圧コンデンサ３０１１は、発光前にメインコンデンサ３０３から制限コイル３１４、抵抗３００６を介して充電される。
【００５５】
トランジスタ３０１２は、エミッタが倍圧コンデンサ３０１１の他端とダイオード３０１７のアノードと抵抗３０１５の一端とに接続され、コレクタが後述の抵抗３０１３の一端に接続され、ベースが後述の抵抗３０１５、３０１６のそれぞれの一端に接続される。
【００５６】
抵抗３０１３は、一端がトランジスタ３０１２のコレクタに接続され、他端がダイオード３０１０のアノードと後述の抵抗３０１４の一端とに接続される。
【００５７】
抵抗３０１４は、一端が抵抗３０１３の他端に接続され、他端が放電管３０７の陰極に接続される。
【００５８】
抵抗３０１５は、トランジスタ３０１２のベースエミッタ間に接続される。また、抵抗３０１５は、一端がトランジスタ３０１２のベースと後述の抵抗３０１６の一端とに接続され、他端がトランジスタ３０１２のエミッタと後述のダイオード３０１７のアノードとに接続される。
【００５９】
抵抗３０１６は、一端がトランジスタ３０１２のベースに接続され、他端が後述のダイオード３０１７のカソードとトランジスタ３０１９のエミッタと倍圧コンデンサ３００８の一端とに接続される。
【００６０】
ダイオード３０１７は、アノードがトランジスタ３０１２のエミッタに接続され、カソードが抵抗３１０６の他端とトランジスタ３０１９のエミッタと倍圧コンデンサ３００８の一端とに接続される。
【００６１】
抵抗３０１８は、一端がダイオード３０１０のカソードと倍圧コンデンサ３０１１の一端とに接続され、他端が後述のトランジスタ３０１９のエミッタに接続される。
【００６２】
トランジスタ３０１９は、コレクタが抵抗３０１８の他端に接続され、エミッタが倍圧コンデンサ３００８の一端と後述の抵抗３０２０の他端とダイオード３０１７のカソードと抵抗３０１６の他端とに接続される。また、トランジスタ３０１９は、ベースが後述の抵抗３０２０の一端と抵抗３０２１の一端とに接続される。
【００６３】
抵抗３０２０は、トランジスタ３０１９のベースエミッタ間に接続される。また、抵抗３０２０は、一端がトランジスタ３０１９のベースと後述の抵抗３０２１の一端とに接続され、他端がトランジスタ３０１９のエミッタと倍圧コンデンサ３００８の一端とダイオード３０１７のカソードと抵抗３０１６の他端とに接続される。
【００６４】
抵抗３０２１は、一端がトランジスタ３０１９のベースに接続され、他端がダイオード３００９のカソードとＩＧＢＴ３００３のエミッタとメインコンデンサ３０３の陰極とに接続される。
【００６５】
ＩＧＢＴ３０２２は、発光停止用ＩＧＢＴであって、コレクタがダイオード３１８のカソードと還流ダイオード３１９のアノードとに接続され、エミッタがメインコンデンサ３０３の陰極に接続される。また、ＩＧＢＴ３０２２は、ゲートが後述の抵抗３０２５の一端と抵抗３０２６の一端とに接続される。
【００６６】
抵抗３０２５は、一端がＩＧＢＴ３０２２のゲートと後述の抵抗３０２６の一端とに接続され、他端がＩＧＢＴ３０２２のエミッタとメインコンデンサ３０３の陰極とに接続される。抵抗３０２６は、一端がＩＧＢＴ３０２２のゲートに接続され、他端が図１のＡＮＤゲート３１１（ＩＧＢＴ２端子）に接続される。
【００６７】
抵抗３０２３は、一端がＩＧＢＴ３０２５のコレクタに接続され、他端が後述のコンデンサ３０２４の一端に接続される。コンデンサ３０２４は、一端が抵抗３０２３の他端に接続され、他端がＩＧＢＴ３０２２のエミッタに接続される。抵抗３０２３とコンデンサ３０２４とは、制限コイル３１４に蓄えられたエネルギーによりＩＧＢＴ３０２２オフ時にＩＧＢＴ３０２２のコレクタエミッタ間に発生するサージ電圧を抑えるスナバ回路として機能する。
【００６８】
次に、発光準備動作の説明を行う。
【００６９】
発光準備動作では、電池３０１の電池電圧を昇圧手段３０２で昇圧しメインコンデンサ３０３の充電を行う。このときＩＧＢＴ３００３、ＩＧＢＴ３０２２は共にオフ状態である。
【００７０】
また、メインコンデンサ３０３から制限コイル３１４、抵抗３００６を介して倍圧コンデンサ３０１１の充電を行う。さらに、メインコンデンサ３０３から制限コイル３１４、抵抗３００６、ダイオード３００７を介して、倍圧コンデンサ３００８及びトリガーコンデンサ３００４の充電を行う。充電後の倍圧コンデンサ３００８、３０１１のそれぞれの両端の電位はメインコンデンサ３０３と同電位となる。
【００７１】
次に、図１５を用いて従来の発光後の倍圧コンデンサ、スナバ回路の充電動作を説明する。なお、図１５において図２と共通の素子は同じ符号となっている。
【００７２】
ストロボマイコン３１０のＦＬ＿ＳＴＡＲＴ端子よりＨＬの信号が出力されると、ＩＧＢＴ２端子がローレベル（以下ＬＬ）となってＩＧＢＴ３０２２がオフされる。ＩＧＢＴ３０２２がオフされることにより発光停止動作が開始される。
【００７３】
このとき、抵抗３０１４、ダイオード３０１０、倍圧コンデンサ３０１１、ダイオード３０１７、ダイオード３００９のループで電流が流れ、倍圧コンデンサ３０１１が充電され初期状態に戻る。
【００７４】
同時に、抵抗３０１４、ダイオード３０１０、ダイオード３００７、倍圧コンデンサ３００８、ダイオード３００９のループで電流が流れ、倍圧コンデンサ３００８が充電され初期状態に戻る。
【００７５】
同時に、抵抗３０２３を介してコンデンサ３０２４に電流が流れ、ＩＧＢＴ３０２２のコレクタエミッタ間に発生するサージ電圧を抑える。
【００７６】
このように、発光停止後に、倍圧コンデンサ３００８、倍圧コンデンサ３０１１、コンデンサ３０２４の充電が放電管３０７を介して行われるため、放電管３０７の残光が生じる。
【００７７】
そこで、本実施形態では、３倍圧トリガー回路やスナバ回路などのメインコンデンサ３０３とは異なるコンデンサを有する回路で放電管３０７の発光停止動作に伴ってコンデンサの充電を行うときに放電管３０７の残光を生じさせないようにする。具体的には、発光停止後に放電管３０７の両端を短絡させる構成を有していて、発光の用途に応じて放電管３０７の両端を短絡させるか否かを設定する。
【００７８】
次に、図３、図４、図５、図６、図７を用いて、カメラマイコン１０１の動作、ストロボマイコン３１０の動作及び発光動作の動作タイミングを説明する。
【００７９】
図４は、カメラマイコンの動作のうち、電源スイッチがオンされてからレリーズ動作へ移行するまでの動作を示す図である。不図示の電源スイッチがオンされてカメラマイコン１０１が動作可能となると、カメラマイコン１０１は、図４のステップ（以下、Ｓと略す）１から所定の動作を開始する。
【００８０】
まず、Ｓ１では、カメラマイコン１０１自身のメモリやポートの初期化を行う。また、入力手段１０６より入力された各種設定を読み込み、シャッター速度の決め方や、絞り値の決め方等様々な撮影モードの設定を行う。
【００８１】
その後、カメラ本体１００は、ユーザからのレリーズ操作待ちの状態（ＳＷ１のオン待ちの状態）となる。
【００８２】
Ｓ２では、図示しないシャッターボタンの半押し状態であるＳＷ１がＯＮか否かを判別し、ＯＦＦのときはこのステップを繰り返し、ＯＮのときはＳ３に進む。
【００８３】
Ｓ３では、レンズユニット２００内のレンズマイコン２０１とインタフェース１２０を介して通信を行う。そして、レンズユニット２００の焦点距離情報（以下、レンズの焦点距離情報）や焦点調節、測光に必要な光学情報を取得する。
【００８４】
Ｓ４では、カメラ本体１００にストロボ装置３００が装着されているかどうかを判別する。カメラ本体１００にストロボ装置３００が装着されているならばＳ５へ進み、未装着ならばＳ６へ進む。
【００８５】
Ｓ５では、ストロボマイコン３１０とインタフェース１３０を介して通信を行い、Ｓ３にて取得したレンズの焦点距離情報や撮影モード等のカメラ情報をストロボマイコン３１０に出力する。
【００８６】
また、Ｓ５では、ストロボマイコン３１０自身のメモリ内に格納されているストロボの情報を出力するように指示を出す。この指示に対応して、ストロボマイコン３１０は、カメラマイコン１０１へストロボ情報を出力する。このストロボ情報は、現在設定されている発光モード情報、メインコンデンサ３０３の充電情報などである。
【００８７】
次に、Ｓ６で、Ｓ１にて設定された撮影モードのうち、自動焦点調節動作を行うモード（ＡＦモード）であるか、そうでないモードであるかを判断する。Ｓ６でＡＦモードであればＳ７に進み、ＡＦモードでなければ、Ｓ９へ進む。
【００８８】
Ｓ７では、焦点検出回路１０９を駆動させて周知の位相差検出法により焦点評価値を取得する。また、Ｓ７では、複数の焦点検出ポイントからどのポイントの焦点を合わせるかを入力手段１０６への操作に応じて決定したり、撮影モードに応じて決定したり、近点優先を基本の考え方とした自動選択アルゴリズムに応じて決定したりする。
【００８９】
Ｓ８では、Ｓ７で決定された焦点検出ポイントの焦点評価値に基づいてレンズ２０２の駆動量を演算する。そして、レンズマイコン２０１とインタフェース１２０を介して通信を行い演算結果をレンズマイコン２０１に出力する。レンズマイコン２０１は、取得した演算結果に基づいてレンズ駆動手段２０３を制御してレンズ２０２を合焦位置に駆動させる。
【００９０】
Ｓ９では、測光回路１０８を駆動させて被写体の測光を行い、測光データを取得する。
【００９１】
Ｓ１０では、ストロボ装置３００を発光させた撮影（以下、ストロボ撮影とする）を行うか否かを判断する。ここでは、Ｓ９で取得した測光データや入力手段１０６への操作などに基づいてストロボ撮影を行うか否かを判断する。ストロボ撮影を行うと判断した場合はＳ１１へ進み、ストロボ撮影を行わないと判断した場合はＳ１２へ進む。
【００９２】
Ｓ１１では、ストロボマイコン３１０が充電完了信号を出力しているかどうかを判断する。ここで、ストロボマイコン３１０が充電完了信号を出力しているならばＳ１２へ進み、出力していなければＳ１３へ進む。
【００９３】
なお、このＳ１１におけるストロボマイコン３１０が充電完了信号を出力しているかどうかの判定結果は、後のステップで用いるので記憶しておく。
【００９４】
Ｓ１２では、ストロボ撮影を行うために適したシャッター速度（Ｔｖ）と絞り値（Ａｖ）とをＳ９にて得られた測光データに基づいて決定し、Ｓ１４へ進む。
【００９５】
Ｓ１３では、ストロボ装置３００を発光させない撮影（非発光撮影）を行うために適したシャッター速度（Ｔｖ）と絞り値（Ａｖ）とをＳ９にて得られた測光データに基づいて決定し、Ｓ１４へ進む。
【００９６】
Ｓ１４では、ストロボマイコン３１０とインタフェース１３０を介して通信を行い、ストロボ制御に関する情報をストロボマイコン３１０に出力して、Ｓ１５へ進む。
【００９７】
続いて、Ｓ１５では、図示しないシャッターボタンの全押し状態であるＳＷ２がＯＮであるか否かを判断し、ＯＦＦであればＳ１からＳ１５までの動作を繰り返し、ＯＮであれば図５に示す一連のレリーズ動作に進む。
【００９８】
図５はカメラマイコンの動作のうち、レリーズ動作後の動作を示す図である。
【００９９】
Ｓ１６では、ストロボマイコン３１０とインタフェース１３０を介して通信を行い、カメラ情報をストロボマイコン３１０に出力する。ここで出力されるカメラ情報は、後にプリ発光を指示することを示す情報を含む。
【０１００】
Ｓ１７では、測光回路１０８を駆動させてストロボ装置３００を発光させていない状態の被写体の測光（測光動作１）を行い、第１の測光データを取得する。
【０１０１】
Ｓ１８では、プリ発光をストロボ装置３００にて行うためストロボマイコン３１０とインタフェース１３０を介してプリ発光通信を行い、プリ発光開始用信号をストロボマイコン３１０に出力する。
【０１０２】
Ｓ１９では、ストロボ装置３００をプリ発光させている状態の被写体の測光（測光動作２）を行い、第２の測光データを取得する。
【０１０３】
Ｓ２０では、不図示のミラーをアップさせ、撮影光路内から退去させる。
【０１０４】
Ｓ２１では、Ｓ１７で取得した第１の測光データとＳ１９で取得した第２の測光データとに基づいて本発光の発光量（以下、本発光量とする）を演算する。本発光量の演算方法については、公知の方法を用いればよく詳細な説明は省略する。
【０１０５】
また、Ｓ２１では、ストロボマイコン３１０とインタフェース１３０を介して光量設定通信を行い、本発光量に関する情報をストロボマイコン３１０に出力する。ストロボマイコン３１０は、本発光量に関する情報を取得することで、本発光量が予め決められた閾値と比較して小発光量か大発光量かを判断する。
【０１０６】
Ｓ２２では、不図示のシャッターを走行させて、シャッターにより遮光されていた撮像素子１０２を露光させる。
【０１０７】
Ｓ２３では、シャッターの走行完了と略等しいタイミングでストロボマイコン３１０にインタフェース１３０を介して本発光開始用信号（Ｘ信号）を出力する。
【０１０８】
Ｓ２４では、撮像素子１０２をＳ１２やＳ１３で決定したシャッター速度に基づいて露光させたのち、撮影光路より退去させていたミラーをダウンして再び撮影光路内に斜設させる。
【０１０９】
Ｓ２５では、信号処理回路１０５などにより公知の現像処理を実行させる。
【０１１０】
Ｓ２６では、現像処理された画像データを図示しないメモリに記憶して一連の撮影ルーチンを終了する。
【０１１１】
続いて、ストロボ装置３００内のストロボマイコン３１０での具体的な動作について図６を用いて説明する。
【０１１２】
不図示の電源スイッチがオンされてストロボマイコン３１０が動作可能となると、ストロボマイコン３１０は、図６のＳ１０１より所定の動作を開始させる。
【０１１３】
まず、Ｓ１０１では、ストロボマイコン３１０自身のメモリやポートの初期化を行う。また、入力手段３２０より入力された各種設定を読み込み、発光モードや発光量等の設定を行う。
【０１１４】
Ｓ１０２では、昇圧手段３０２の動作を開始させて発光の準備を行う。発光準備動作を行うことで、図３に示すように、トリガーコンデンサ３００４、倍圧コンデンサ３００８、倍圧コンデンサ３０１１の電位が上昇する。
【０１１５】
Ｓ１０３では、カメラマイコン１０１からインタフェース１３０を介して、レンズの焦点距離情報や撮影モード等のカメラ情報を取得する。
【０１１６】
Ｓ１０４では、自身のメモリ内に記憶された、現在設定されている発光モードやメインコンデンサ３０３の充電状態などのストロボ情報を表示手段３２１に表示する。
【０１１７】
Ｓ１０５では、ストロボマイコン３１０からカメラマイコン１０１にインタフェース１３０を介して通信を行い、ストロボ情報をカメラマイコン１０１に出力する。
【０１１８】
Ｓ１０６では、メインコンデンサ３０３の電圧が放電管３０７の発光に必要な電圧レベルにまで達したか（充電完了か）どうかを判定し、放電管３０７の発光に必要な電圧レベルにまで達していると判定した場合にはＳ１０８に進む。
【０１１９】
Ｓ１０６にて放電管３０７の発光に必要な電圧レベルにまで達していないと判定した場合には、ステップＳ１０７へ進む。
【０１２０】
Ｓ１０７では、充電未完信号を出力してストロボの発光準備ができていないことをインタフェース１３０を介してカメラマイコン１０１に知らせる。その後はＳ１０２へ戻り、Ｓ１０２からＳ１０６までの動作を繰り返す。
【０１２１】
Ｓ１０８では充電完了信号を出力してストロボの発光準備ができたことをインタフェース１３０を介してカメラマイコン１０１に知らせる。
【０１２２】
Ｓ１０９では、カメラ情報を受信して、後にプリ発光を指示することを示す情報が含まれていることを確認する。
【０１２３】
Ｓ１１０では、プリ発光通信を行い、プリ発光開始用信号を受信する。
【０１２４】
Ｓ１１１では、プリ発光開始用信号に従ってプリ発光動作を行う。
【０１２５】
Ｓ１１２では、カメラ情報を受信して、後に本発光を指示することを示す情報が含まれていることを確認する。
【０１２６】
Ｓ１１３では、光量設定通信を行う。なお、入力手段３２０にて本発光量が設定されている場合には、光量設定通信を行わなくても構わない。
【０１２７】
Ｓ１１４では、カメラマイコン１０１で演算された本発光量、あるいは、入力手段３２０にて設定された本発光量が予め決められた閾値以下であるか否かを判断する。例えば、フル発光量の１／６４の発光量を閾値としてストロボマイコン３１０のＥＥＰＲＯＭに記憶しておき、閾値以下の場合はＳ１１５へ進み、閾値より大きい場合はＳ１１６へ進む。
【０１２８】
Ｓ１１５では、放電管３０７の両端を短絡するフラグＳＨ＿ＦＬＧを“１”とする。閾値以下の発光量では発光停止時の残光の影響が大きいため、ここでは放電管３０７の両端を短絡させるように設定する。
【０１２９】
Ｓ１１６では、放電管３０７の両端を短絡するフラグＳＨ＿ＦＬＧを“０”とする。閾値より大きい発光量では発光停止時の残光の影響が小さいため、ここでは放電管３０７の両端を短絡させないように設定する。
【０１３０】
Ｓ１１７では、カメラマイコン１０１より発光開始用信号（Ｘ信号）を受信し、本発光を行う。Ｓ１１８では、発光終了処理を行いＳ１０２に戻る。
【０１３１】
次に、発光動作について図７を用いて説明する。
【０１３２】
Ｓ２０１では、ストロボマイコン３１０は、カメラマイコン１０１からの発光開始用信号（プリ発光開始信号や本発光開始信号を含む）に従って発光を開始させる。具体的には、ストロボマイコン３１０の発光制御端子ＦＬ＿ＳＴＡＲＴよりＡＮＤゲート３１１を介して発光制御手段３０８にＩＧＢＴ２信号を与え、ストロボマイコン３１０のＴＲＩＧ端子より信号を与えて発光を開始させる。このとき、発光回路ブロック３０００では以下のような動作が行われる。
【０１３３】
ストロボマイコン３１０のＦＬ＿ＳＴＡＲＴ端子よりハイレベル（以下、ＨＬとする）の信号を出力することで、ＩＧＢＴ２端子がＨＬとなってＩＧＢＴ３０２２がオンされる。また、ストロボマイコン３１０のＴＲＩＧ端子よりＨＬを数十μｓ出力することで、ＩＧＢＴ３００３がオンされる。これは、図３の３０２２ゲート電圧とＴＲＩＧの変化に対応している。
【０１３４】
ＩＧＢＴ３００３がオンされることで、トリガーコンデンサ３００４がトリガートランス３００５の一次巻線を介して放電し、二次巻線に発生する高圧のトリガーパルスが放電管のネサコートに印加されて放電管３０７の内部がプレイイオン化される。
【０１３５】
トリガーパルスの印加と同時に倍圧コンデンサ３００８の充電電荷がＩＧＢＴ３００３と抵抗３０２１とを介して放電し、トランジスタ３０１９のベースに電流が流れトランジスタ３０１９がオンされる。
【０１３６】
トランジスタ３０１９がオンされるため、倍圧コンデンサ３０１１の充電電荷が抵抗３０１８とトランジスタ３０１９と抵抗３０１６とを介して放電し、トランジスタ３０１２のベースに電流が流れトランジスタ３０１２がオンされる。
【０１３７】
トランジスタ３０１９、トランジスタ３０１２がオンされることで、ダイオード３１８に逆バイアスが印加される。
【０１３８】
このときの電流ループは、抵抗３０１４、抵抗３０１３、トランジスタ３０１２、倍圧コンデンサ３０１１、抵抗３０１８、トランジスタ３０１９、倍圧コンデンサ３００８、ＩＧＢＴ３００３、ＩＧＢＴ３０２２となる。
【０１３９】
そして、このループ内の倍圧コンデンサ３０１１の電位と倍圧コンデンサ３００８の電位によりダイオード３１８に逆バイアスが印加される。
【０１４０】
逆バイアスが印加されることで、ダイオード３１８のアノードがＧＮＤ（メインコンデンサ３０３の陰極電位）に対してほぼメインコンデンサ３０３の電圧の２倍電位分マイナスとなる。
【０１４１】
したがって、放電管３０７の陽極はメインコンデンサ３０３の電位がかかっているため、発光直前に放電管３０７の両端にはメインコンデンサ３０３の電圧の３倍の電圧が印加される。
【０１４２】
以上のように、放電管３０７の両端にはメインコンデンサ３０３の３倍の電圧が印加された状態で、トリガートランス３００５より高圧のトリガーパルスが放電管３０７のネサコートに印加されるため、メインコンデンサ３０３の電圧が低くても発光が行われる。
【０１４３】
図３の閃光波形放電管電流の変化が、放電管３０７の発光強度に対応している。
【０１４４】
Ｓ２０２では、ストロボマイコン３１０は、放電管３０７の発光量が所望の発光量に達したか否かを判断し、達していない場合は発光を継続し、達した場合は２０３へ進む。
【０１４５】
放電管３０７の発光量が所望の発光量に達したか否かの判断は以下のように行う。放電管３０７の発光期間においてフォトダイオード３３０で放電管３０７の発光を受光し、積分回路３０９でフォトダイオード３３０の受光量に応じた電流を積分する。その出力は３１２のコンパレータの反転入力端子とストロボマイコン３１０のＡ／Ｄコンバータ端子に入力される。
【０１４６】
コンパレータ３１２の非反転入力は、ストロボマイコン３１０内のＤ／Ａコンバータ出力端子に接続され、所望の発光量に相当するＤ／Ａコンバータ値が設定されている。
【０１４７】
積分回路３０９から出力される積分値と所望の発光量に相当するＤ／Ａコンバータ値とを比較して、積分値がＤ／Ａコンバータ値に達すると放電管３０７の発光量が所望の発光量に達したと判断する。
【０１４８】
Ｓ２０３では、ストロボマイコン３１０は、放電管３０７の両端を短絡させるか否か判断する。放電管３０７の両端を短絡するフラグＳＨ＿ＦＬＧが“１”であればＳ２０４へ、フラグＳＨ＿ＦＬＧが“０”であればＳ２０５へ進む。
【０１４９】
Ｓ２０４では、ストロボマイコン３１０は、ＩＧＢＴ３０２２のオフと同時に放電管３０７の両端の短絡を行う。
【０１５０】
Ｓ２０５では、ストロボマイコン３１０は、ＩＧＢＴ３０２２のオフと同時に放電管３０７の両端の短絡を行わない。
【０１５１】
Ｓ２０６では、ＡＮＤゲート３１１より発光停止信号を出力して発光制御手段３０８により発光が停止される。
【０１５２】
次に、本実施形態における放電管３０７の両端の短絡を行う場合の発光後の倍圧コンデンサ、スナバ回路の充電動作を説明する。
【０１５３】
ストロボマイコン３１０のＦＬ＿ＳＴＡＲＴ端子よりＨＬの信号が出力されると、ＩＧＢＴ２端子がＬＬとなりＩＧＢＴ３０２２がオフされる。ＩＧＢＴ３０２２のオフにより発光停止動作が開始される。
【０１５４】
このとき同時にＳＨ端子を一定期間ＨＬにする。これは、図３の３０２２ゲート電圧及びＳＨの変化に対応している。
【０１５５】
すると、放電管３０７を介さずにサイリスタ３１５を通って、抵抗３０１４、ダイオード３０１０、倍圧コンデンサ３０１１、ダイオード３０１７、ダイオード３００９のループで電流が流れ、倍圧コンデンサ３０１１が充電され初期状態に戻る。
【０１５６】
同時に、放電管３０７を介さずにサイリスタ３１５を通って、抵抗３０１４、ダイオード３０１０、ダイオード３００７、倍圧コンデンサ３００８、ダイオード３００９のループで電流が流れ、倍圧コンデンサ３００８が充電され初期状態に戻る。
【０１５７】
同時に、放電管３０７を介さずにサイリスタ３１５を通って、抵抗３０２３を介してコンデンサ３０２４に電流が流れ、ＩＧＢＴ３０２２のコレクタエミッタ間に発生するサージ電圧を抑える。
【０１５８】
このように、発光停止時に倍圧コンデンサ３０１１、３００８とコンデンサ３０２４の充電は放電管３０７を介さずにサイリスタ３１５を通して行われるため、残光は生じなくなり発光量オーバーを抑えることができる。図３の閃光波形放電管電流のおける点線部分が、残光が生じた場合の発光量の増加分に相当する。
【０１５９】
なお、本実施形態における放電管３０７の両端の短絡を行わない場合の発光後の倍圧コンデンサ、スナバ回路の充電動作は、前述した従来の動作となるため説明は省略する。
【０１６０】
以上のように、本実施形態では、発光の用途に応じて発光停止時に放電管の両端を短絡させるか否かを設定するため、発光の用途に合わせた最適な発光制御を行うことができる。
【０１６１】
（第２の実施形態）
以下、図８、図９を用いて第２の実施形態を説明する。なお、本実施形態におけるカメラシステム及び発光回路ブロックの構成は第１の実施形態と同様であるため説明は省略する。また、図８において図６と同一のステップ番号のものは、図６と同様の動作を行うため説明は省略する。本実施形態では、放電管３０７を用いて光ワイヤレス通信を行うか否かに応じて発光停止時に放電管の両端を短絡させるか否かを設定する。光ワイヤレス通信は、微小の閃光発光（光パルス信号）を繰り返し行うことにより外部機器とワイヤレスデータ通信を行うものである。
【０１６２】
Ｓ１０９に続くＳ１１１４では、ワイヤレス発光モードに設定されているか否かを判断し、ワイヤレス発光モードに設定されていればＳ１１１５へ進み、設定されていなければＳ１１１６へ進む。
【０１６３】
Ｓ１１１５では、放電管３０７の両端を短絡するフラグＷＬ＿ＳＨ＿ＦＬＧを“１”としてＳ１１１７へ進む。光ワイヤレス通信では、各発光の発光タイミングにより通信内容が決定するので、残光により各発光の発光タイミングが不明確となり通信精度が低下する可能性があるため、放電管３０７の両端を短絡させるように設定する。
【０１６４】
Ｓ１１１７では、ワイヤレス発光動作が行われる。なお、ワイヤレス発光動作では、図７に示した発光動作と比較して、Ｓ２０３での判断に用いるフラグがＳＨ＿ＦＬＧではなくＷＬ＿ＳＨ＿ＦＬＧとなるだけであるので、詳細な説明は省略する。
【０１６５】
図９は、ワイヤレス発光時の動作タイミングを示す図である。光パルス信号の各発光において、発光停止のタイミングでＳＨ端子をオンさせて放電管３０７の両端を短絡させることで、各発光で残光は生じなくなり、通信精度の低下を抑えることができる。
【０１６６】
（第３の実施形態）
以下、図１０、図１１を用いて第３の実施形態を説明する。なお、本実施形態におけるカメラシステム及び発光回路ブロックの構成は第１の実施形態と同様であるため説明は省略する。また、図１０において図６と同一のステップ番号のものは、図６と同様の動作を行うため説明は省略する。本実施形態では、フラット発光を行うか否かに応じて発光停止時に放電管の両端を短絡させるか否かを設定する。
【０１６７】
前述したように、フラット発光は、閃光発光を連続して行い発光強度を継続して略一定にするため、非発光期間において発光強度をできるだけ低下させたくない。そこで、フラット発光を行う場合には、各発光量が微小であっても発光停止時に放電管３０７の両端を短絡させないようにする。
【０１６８】
Ｓ１１３に続くＳ２１１４では、フラット発光モードに設定されているか否かを判断し、フラット発光モードに設定されていればＳ１１６進みＳＨ＿ＦＬＧを“０”として、設定されていなければＳ１１５へ進む。
【０１６９】
図１１は、フラット発光時の動作タイミングを示す図である。図１１に示すように、フラット発光時には各発光停止時にＳＨ端子をオンさせずに連続発光を行うことで、発光停止後も残光により発光強度が低下し難くして次の発光開始までの発光強度の変化を抑えることができる。
【０１７０】
なお、フラット発光は、撮影時にシャッター速度が高速であって撮像素子１０２の撮影領域のすべてを同時に露光できない場合に、撮影領域のどの領域に対しても等しい光量を照射するために用いられるが、その他の用途に用いてもよい。例えば、撮影時ではなく、ストロボ装置３００を発光させることでどのような照明効果が得られるかを確認するためのモデリング発光を行う際に用いてもよいし、プリ発光時に用いてもよい。
【０１７１】
以上、本発明の好ましい実施形態について説明したが、本発明はこれらの実施形態に限定されず、その要旨の範囲内で種々の変形及び変更が可能である。
【０１７２】
例えば、第１〜第３の実施形態の発光回路ブロック３０００の変形例１として、図１２に示す発光回路ブロック３０００を用いても構わない。図１２に示す変形例１は、図２に示す発光回路ブロック３０００のサイリスタ３１５の代わりにＩＧＢＴ３１５−２を用いている。
【０１７３】
また、第１〜第３の実施形態の発光回路ブロック３０００の変形例２として、図１３に示す発光回路ブロック３０００を用いても構わない。図１３に示す変形例２は、図２に示す発光回路ブロック３０００のサイリスタ３１５−３の一端が抵抗３０１４の他端に接続される。そして、インバータ３２２が抵抗３１７とＳＨ端子の間に接続される。
【０１７４】
これは、充電ラインを遮断するためで、発光前及び発光中は短絡、発光停止後の所定期間は開放して所定期間が経過した後は短絡して、各コンデンサを充電する。図１３に示す変形例２を用いた場合、発光動作は図１４に示すタイミングとなる。
【０１７５】
また、上記の実施形態では、カメラ本体とは別体のストロボ装置に適用した例を説明したが、ストロボ装置を内蔵した撮像装置に適用しても構わない。
【０１７６】
また、上記の実施形態１及び２では、放電管３０７による発光の発光量に応じて発光停止時に放電管の両端を短絡させるか否かを設定する例として、発光量が閾値より大きい場合は発光停止時に放電管３０７の両端を短絡させない例を説明した。しかしながら、発光量が閾値より大きい場合に発光停止時に放電管３０７の両端を短絡させても構わない。
【符号の説明】
【０１７７】
１００  カメラ本体
１０１  カメラマイコン
１０２  撮像素子
３００  ストロボ装置
３１０  ストロボマイコン
３０００  発光回路ブロック
３０３  メインコンデンサ
３０６  トリガー回路
３０７  放電管
３０８  発光制御手段
３１５  サイリスタ
３００３  発光用ＩＧＢＴ
３００４  トリガーコンデンサ
３００８  倍圧コンデンサ
３０１１  倍圧コンデンサ
３０２２  発光停止用ＩＧＢＴ
３０２４  コンデンサ
【図１】
2014021154.tif 000003
【図２】
2014021154.tif 000004
【図３】
2014021154.tif 000005
【図４】
2014021154.tif 000006
【図５】
2014021154.tif 000007
【図６】
2014021154.tif 000008
【図７】
2014021154.tif 000009
【図８】
2014021154.tif 000010
【図９】
2014021154.tif 000011
【図１０】
2014021154.tif 000012
【図１１】
2014021154.tif 000013
【図１２】
2014021154.tif 000014
【図１３】
2014021154.tif 000015
【図１４】
2014021154.tif 000016
【図１５】
2014021154.tif 000017